(57)【要約】      （修正有）【課題】プラスチックよりも環境負荷の低い材料から製造される手提げ袋を提供する。【解決手段】手提げ袋１は、持ち手部２と本体部を備え、本体部は、外側面が新聞紙であり、内側面が紙製ライナーである複数層で構成される。また、本体部は、本体筒状部と、本体筒状部の上端を開口する開口部３１と、本体筒状部の下端を閉塞する底面部を備える。新聞紙の内側には、紙製ライナーが新聞紙上端からはみ出る、はみ出し部を設けて貼り付けられている。開口部は、はみ出し部の折り返しにより強化されている。また、持ち手部は、本体取付部と持ち手本体部からなり、本体取付部は、開口部に沿って本体筒状部の上端部に取り付けられる。また、持ち手本体部は、本体取付部で固定され、開口部から上方に延設されている。さらに、本体取付部は、はみ出し部の折り返しに巻き込まれて取り付けられている。【選択図】図１
0003233517.tif 000002
【実用新案登録請求の範囲】
【請求項１】
外側面が新聞紙であって内側面が紙製ライナーである複数層に構成されてなる本体部と、持ち手部とを備える手提げ袋であって、
前記本体部は、本体筒状部、前記本体筒状部の上端を開口する開口部、及び、前記本体筒状部の下端を閉塞する底面部を備え、
前記新聞紙の内側には、前記紙製ライナーが前記新聞紙の上端からはみ出るはみ出し部を設けて貼り付けられてなり、
前記開口部が、前記はみ出し部の折り返しにより強化されてなる
ことを特徴とする手提げ袋。
【請求項２】
前記持ち手部は、前記開口部に沿って前記本体筒状部の上端部に取り付けられてなる本体取付部と、前記本体取付部に固定されて前記開口部から上方に延設された持ち手本体部からなる
ことを特徴とする請求項１に記載の手提げ袋。
【請求項３】
前記本体取付部は、前記はみ出し部の折り返しに巻き込まれて取り付けられてなる
ことを特徴とする請求項２に記載の手提げ袋。
【請求項４】
前記本体筒状部の内面に、メッセージ表示領域を設けた
ことを特徴とする請求項１〜３のいずれか１つに記載の手提げ袋。
【考案の詳細な説明】
【技術分野】
【０００１】
本発明は、新聞紙を用いて製造した手提げ袋に関する。
【背景技術】
【０００２】
近年、レジ袋やストローを含むプラスチックごみによる環境汚染が問題視され、また、レジ袋の有料化が進められたことにより、需要者が自ら所有する手提げ袋が急速に普及した。しかし、一般的によく使用される手提げ袋はプラスチック製である。そのため、このような手提げ袋は、最終的にはプラスチックごみが生じることになる。
【考案の概要】
【考案が解決しようとする課題】
【０００３】
従って、プラスチック製ではない、環境負荷のより低い材料から製造される手提げ袋が求められる。
【課題を解決するための手段】
【０００４】
上記課題を解決するための手段として、本考案に係る手提げ袋は、新聞紙及び紙製ライナーを材料として製造される。
【０００５】
本考案の手提げ袋は、持ち手部と本体部を備え、本体部は、外側面が新聞紙であり、内側面が紙製ライナーである複数層で構成される。また、本体部は、本体筒状部と、本体筒状部の上端を開口する開口部と、本体筒状部の下端を閉塞する底面部を備える。新聞紙の内側には、紙製ライナーが新聞紙上端からはみ出る  はみ出し部を設けて貼り付けられている。開口部は、はみ出し部の折り返しにより強化されている。また、持ち手部は、本体取付部と持ち手本体部からなり、本体取付部は、開口部に沿って本体筒状部の上端部に取り付けられる。また、持ち手本体部は、本体取付部で固定され、開口部から上方に延設されている。さらに、本体取付部は、はみ出し部の折り返しに巻き込まれて取り付けられている。
【０００６】
本考案の手提げ袋の持ち手部は、環境負荷の観点から、紙製が好ましい。また、再利用の観点から、持ち手部は、例えば、新聞梱包に使用される敷紙を材料とすることが好ましい。
【０００７】
本考案の本体部は、外側面が新聞紙、内側面が紙製ライナーからなる。
紙製ライナーは、外側面に使用する新聞紙を補強するために、新聞紙の内側面に貼り付けて使用されるものである。紙製ライナーは、例えば画用紙、ケント紙、クラフト紙、コート紙または光沢紙からなる。あるいは、再利用の観点から、紙製ライナーは、例えば、新聞梱包に使用される敷紙からなる。
【０００８】
本考案の手提げ袋は、本体筒状部内側に、メッセージ表示領域を設けてもよい。このように、本体内側を覗きこまないと見えない位置にメッセージ表示領域を設けると、外側などの見やすい位置にメッセージ表示領域を設けるよりも、見た者により強い印象を与えることができる。メッセージ表示領域には、広告宣伝、イラスト、および／または伝言が記載され得る。
【０００９】
本考案の手提げ袋の本体は、ノンブルを含めた新聞上十段の記事全体が本体筒状部の外側面になるように形成され得る。従って、メッセージ性の強い記事や、記念記事をそのまま手提げ袋の外側面に使用することができる。
【００１０】
本考案の手提げ袋は、持ち手部を作成する工程と、持ち手部を取り付ける開口部を強化する工程と、本体筒状部を作成する工程と、底面部を作成する工程によって製造される。
【００１１】
持ち手部を作製する工程（Ａ）は、以下の工程からなる：
（Ａ−１）適当な幅と、持ち手本体部の長さに本体取付部の長さを加えた長さを有する紙を、直径７〜１０ｍｍの丸棒に巻き付けて細長い円筒とする；
（Ａ−２）持ち手両端の本体取付部の長さまで円筒の両端を平坦にする；
（Ａ−３）本体取付部と直角になるよう持ち手本体部を平坦にする；
（Ａ−４）本体取付部の両端を台紙に貼り付ける；
（Ａ−５）工程Ａ−１からＡ−４を繰り返して第二の持ち手を作成する。
【００１２】
持ち手部を取り付ける開口部を強化する工程（Ｂ）は、以下の工程からなる：
（Ｂ−１）紙製ライナーを、新聞見開きの大きさの新聞紙全体に貼り付け一体にすると同時に、新聞紙上部に紙製ライナーを４〜６ｃｍはみ出させ、はみ出し部を形成する；
（Ｂ−２）新聞紙上部にはみ出したはみ出し部の上端を、内側に、２〜３ｃｍ折りかえす；
（Ｂ−３）折りかえしたはみ出し部の上端を、さらに内側に２〜３ｃｍ折りかえす；
（Ｂ−４）持ち手を貼り付けた台紙２個を２か所に挟みながら、工程Ｂ−３で折り返したはみ出し部を紙製ライナーに貼り付ける；
（Ｂ−５）持ち手を折り返し、持ち手の本体取付部を本体に貼り付ける。
【００１３】
本体筒状部を作製する工程（Ｃ）は、以下の工程からなる：
（Ｃ−１）２つの持ち手が重なるように、新聞紙を見開き方向に対してほぼ半分に折る；
（Ｃ−２）のりしろ部を折り返して貼り付け、本体を筒状とする。
【００１４】
底面部を作製する工程（Ｄ）は、以下の工程からなる：
（Ｄ−１）本体筒状部の下端を折り返し、左右の端を開いて四角形とする；
（Ｄ−２）開口部と平行な対角線を形成しない２個の角の一方を折りかえして貼り付ける；
（Ｄ−３）もう一方の角も折りかえして貼り付ける。
【００１５】
上記工程（Ａ）〜（Ｄ）によって作成された本考案の手提げ袋は、開口部が、はみ出し部の折り返しにより強化されており、持ち手部の本体取付部と持ち手本体部が、直角に交差するよう形成されていることを特徴とする。
【考案の効果】
【００１６】
本考案の手提げ袋は、プラスチックよりも環境負荷の低い材料である、新聞紙及び紙製ライナーから製造される。また、内側の紙製ライナーのはみ出し部の折りかえしにより開口部を強化しているため、新聞上段に記載された新聞記事全体を外側面に利用することができる。
さらに、無地の紙製ライナーを内側に使用しているため、本体内側にメッセージ表示領域を設けることができる。
【図面の簡単な説明】
【００１７】
【図１】本考案の手提げ袋の正面図である。
【図２】持ち手を作製する工程Ａ−１を示した図である。
【図３】持ち手を作製する工程Ａ−１で作製した円筒を示した図である。
【図４】持ち手を作製する工程Ａ−２を示した図である。
【図５】持ち手を作製する工程Ａ−３を示した図である。
【図６】持ち手を作製する工程Ａ−４を示した図である。
【図７】開口部を強化する工程Ｂ−１を示した図である。図７は外側から見た図である。
【図８】開口部を強化する工程Ｂ−２を示した図である。図８は内側から見た図である。
【図９】開口部を強化する工程Ｂ−３を示した図である。
【図１０】開口部を強化する工程Ｂ−４を示した図である。
【図１１】開口部を強化する工程Ｂ−５を示した図である。
【図１２】本体筒状部を作製する工程Ｃ−１を示した図である。
【図１３】本体筒状部を作製する工程Ｃ−２を示した図である。
【図１４】底面部を作製する工程Ｄ−１を示した図である。
【図１５】底面部を作製する工程Ｄ−２を示した図である。
【図１６】底面部を作製する工程Ｄ−３を示した図である。
【考案を実施するための形態】
【００１８】
以下、本考案に係る実施の形態を、図を参照しながら詳しく説明する。なお、本明細書及び図面において、実質的に同一の機能構成を有する構成要素については、同一の符号を付することにより重複説明を省略する。
【実施例】
【００１９】
（Ａ）持ち手部の作製
持ち手２には、新聞梱包に使用される敷紙を使用する。幅７ｃｍ、長さ５５ｃｍの敷紙の長手方向の一端に木工用ボンドを塗り、図２に示すように、直径９ｍｍの丸棒２０１に巻き付けて、図３に示すように細長い円筒とする。丸棒２０１を抜き、図４に示すように、円筒の両端を各８ｃｍつぶして平坦にし、本体取付部２１とする。図５に示すように、本体取付部２１に対して直角になるよう中央部分をつぶして平坦にし、持ち手本体部２２とする。図６に示すように、本体取付部２１を、幅２ｃｍ、長さ２０ｃｍの厚紙からなる台紙２３の両端にそれぞれ貼り付ける。
【００２０】
（Ｂ）本体部の作製
紙製ライナーには、新聞梱包に使用される敷紙を使用する。本体部３の外側面には見開き大の新聞紙３２１を使用する。
見開き大の新聞紙３２１を広げ、木工用ボンドで裏面に紙製ライナー３２２となる敷紙を貼り付ける。敷紙の大きさが足らない場合は複数枚使用し、裏面全面に敷紙を貼り付ける。その際に、図７に示すように、新聞紙上部に、紙製ライナー３２２を５ｃｍはみ出させ、はみ出し部３２３を形成する。次に、図８に示すように、はみ出し部３２３の上端を２．５ｃｍ内側に折りかえす。さらに、図９に示すように、折りかえしたはみ出し部３２３の上端を２．５ｃｍ内側に折りかえす。この時、外側から敷紙が見えないように、一緒に外側の新聞紙３２１の上端をわずかに折りかえしてもよい。二回目に折った折目を一旦戻して木工用ボンドを塗り、持ち手部を貼り付けた台紙２３を挟み込む位置にも木工用ボンドを塗る。図１０に示すように、持ち手が下になる向きで台紙２３を２カ所に挟みながら、二回目の折目を折りなおして裏面に貼り付ける。これにより、本体取付部は、はみ出し部の折り返しに巻き込まれて取り付けられる。次に、図１１に示すように、二回目の折目を起点に持ち手を上に折りかえし、持ち手の本体取付部２１を、二回折りかえしたはみ出し部３２３に木工用ボンドで貼り付ける。この時、本体取付部２１の上からテープを貼り、持ち手２を固定してもよい。テープは、上からローラーで押さえてしっかりと接着する。
【００２１】
（Ｃ）本体筒状部を作製
図１２に示すように、２つの持ち手がきちんと重なるよう位置を揃えて新聞紙３２１を見開き方向に対してほぼ半分に折る。本体部３の開口部３１の上端がきちんと合わせて、図１３に示すように、本体部３の左側１．５ｃｍののりしろ部３２４を、木工用ボンドで貼り合わせ、本体筒状部３２を形成する。
【００２２】
（Ｄ）底面部を作製
本体筒状部３２の下端２５ｃｍを上に折りかえす。次に折り返し線を起点に、本体筒状部３２の下の左右の端を開いて、図１４に示すように、２つの三角形からなる正方形を作る。図１４に示した頂点３３１を、図１５に示したように、正方形の対角線を超えて３ｃｍの位置に折りかえして木工用ボンドで貼り付ける。図１４に示した頂点３３２を、図１６に示したように、正方形の対角線を超えて３ｃｍの位置に折りかえして、木工用ボンドで貼り付ける。次いで、開口部３１を開くと、本考案の手提げ袋１が得られる。
【００２３】
完成した手提げ袋１は内側が敷紙である。敷紙は無地のため、そのままで、手提げ袋の内側に、広告宣伝、イラストおよび／または伝言を記載するためのメッセージ表示領域３２５を設けることができる。なお、図１および図１１に示したメッセージ表示領域３２５は本体筒状部３２の一部分のみとしているが、本体筒状部３２の内側全体をメッセージ表示領域３２５に使用してもよい。
【符号の説明】
【００２４】
１    手提げ袋
２    持ち手
３    本体部
２１    本体取付部
２２    持ち手本体部
２３    台紙
３１    開口部
３２    本体筒状部
３３    底面部
３２１    新聞紙
３２２    紙製ライナー
３２３    はみ出し部
３２４    のりしろ部
３２５    メッセージ表示領域
３３１    頂点（上）
３３２    頂点（下）
２０１    丸棒
【図１】
0003233517.tif 000003
【図２】
0003233517.tif 000004
【図３】
0003233517.tif 000005
【図４】
0003233517.tif 000006
【図５】
0003233517.tif 000007
【図６】
0003233517.tif 000008
【図７】
0003233517.tif 000009
【図８】
0003233517.tif 000010
【図９】
0003233517.tif 000011
【図１０】
0003233517.tif 000012
【図１１】
0003233517.tif 000013
【図１２】
0003233517.tif 000014
【図１３】
0003233517.tif 000015
【図１４】
0003233517.tif 000016
【図１５】
0003233517.tif 000017
【図１６】
0003233517.tif 000018